(57)【要約】【課題】  ＤＲＭが適用されたコンテンツの共有方法を提供する。【解決手段】  ＤＲＭが適用された暗号化されたコンテンツを保存している第１デバイスが第２デバイスと連結された状態でコンテンツを共有する方法において、第２デバイスからコンテンツの伝送要請を受信するステップと、第２デバイスとの連結状態を確認し、ＤＲＭについてのライセンス情報を生成するステップと、ライセンス情報及びコンテンツを伝送するステップと、を含むことを特徴とするコンテンツ共有方法。これにより、複数のデバイスが互いに連結されている状態でのみコンテンツを共有できるので、ＤＲＭコンテンツを重複して購入する必要がなく、便利にコンテンツを共有できる。また、デバイスが直接連結された状態でコンテンツを共有するので、連結状態による音質低下や妨害要素を最小化できる。【選択図】      図５
2008130090.tif 000002
【特許請求の範囲】
【請求項１】
ＤＲＭが適用された暗号化されたコンテンツを保存している第１デバイスが第２デバイスと連結された状態で前記コンテンツを共有する方法において、
前記第２デバイスから前記コンテンツの伝送要請を受信するステップと、
前記第２デバイスとの連結状態を確認し、前記ＤＲＭについてのライセンス情報を生成するステップと、
前記ライセンス情報及び前記コンテンツを伝送するステップと、を含むことを特徴とするコンテンツ共有方法。
【請求項２】
前記ライセンス情報及び前記コンテンツを伝送するステップで、前記第２デバイスから前記ライセンス情報要請を受信することを特徴とする請求項１に記載のコンテンツ共有方法。
【請求項３】
前記第２デバイスから前記ライセンス情報要請を受信すれば、前記ライセンス情報を生成し続けることを特徴とする請求項２に記載のコンテンツ共有方法。
【請求項４】
前記第２デバイスとの連結が解除された状態にあれば、前記ライセンス情報及び前記コンテンツの伝送は終了することを特徴とする請求項３に記載のコンテンツ共有方法。
【請求項５】
前記コンテンツを分割して生成された複数のデータブロック及び前記複数のデータブロックを復号化できる臨時ライセンス情報を前記第２デバイスに伝送することを特徴とする請求項１に記載のコンテンツ共有方法。
【請求項６】
ＤＲＭが適用された暗号化されたコンテンツを保存している第１デバイスが第２デバイスと連結された状態で前記コンテンツを共有する方法において、
前記第１デバイスに前記コンテンツの伝送を要請するステップと、
前記第１デバイスから前記ＤＲＭについてのライセンス情報及び前記コンテンツを受信するステップと、
前記コンテンツを再生するステップと、を含むことを特徴とするコンテンツ共有方法。
【請求項７】
前記ライセンス情報を利用して前記コンテンツを復号化することを特徴とする請求項６に記載のコンテンツ共有方法。
【請求項８】
再生されるコンテンツに対応する前記ライセンス情報は消滅されることを特徴とする請求項７に記載のコンテンツ共有方法。
【請求項９】
前記コンテンツを再生するステップで、前記第１デバイスに前記ライセンス情報の伝送を要請することを特徴とする請求項６に記載のコンテンツ共有方法。
【請求項１０】
前記コンテンツが分割されて生成された複数のデータブロック及び前記複数のデータブロックを復号化できる臨時ライセンス情報を前記第１デバイスに受信することを特徴とする請求項６に記載のコンテンツ共有方法。
【請求項１１】
ＤＲＭが適用された暗号化されたコンテンツを保存しているコンテンツ保存部と、
外部のデバイスと連結された状態で、前記デバイスから前記コンテンツの伝送要請を受信するチャンネルインターフェースと、
前記ＤＲＭについてのライセンス情報を生成するライセンス生成部と、
前記デバイスとの連結状態を確認し、前記ライセンス情報及び前記コンテンツを前記チャンネルインターフェースを通じて前記デバイスに伝送する制御部と、を備えることを特徴とする装置。
【請求項１２】
前記チャンネルインターフェースは、
前記ライセンス情報及び前記コンテンツを伝送する間、前記デバイスから前記ライセンス情報要請を受信することを特徴とする請求項１１に記載の装置。
【請求項１３】
前記制御部は、
前記第２デバイスから前記ライセンス情報要請を受信すれば、前記ライセンス情報を生成させ続けることを特徴とする請求項１２に記載の装置。
【請求項１４】
前記デバイスとの連結が解除された状態にあれば、前記ライセンス情報及び前記コンテンツの伝送は終了することを特徴とする請求項１３に記載の装置。
【請求項１５】
ＤＲＭが適用されたコンテンツを保存している外部の装置と連結された状態で、前記装置に前記コンテンツの伝送を要請し、前記装置から前記ＤＲＭについてのライセンス情報及び前記コンテンツを受信するチャンネルインターフェースと、
前記ライセンス情報を利用して前記コンテンツを復号化する暗号／復号化部と、
前記復号化されたコンテンツを再生するコンテンツ再生部と、を備えることを特徴とするデバイス。
【請求項１６】
前記復号化されたコンテンツを再生する過程で、前記装置に前記ライセンス情報の伝送を要請する制御部をさらに備えることを特徴とする請求項１５に記載のデバイス。
【請求項１７】
再生されるコンテンツに対応する前記ライセンス情報は消滅されることを特徴とする請求項１６に記載のデバイス。
【請求項１８】
前記暗号／復号化部は、前記ライセンス情報を利用して前記コンテンツを再暗号化することを特徴とする請求項１７に記載のデバイス。
【請求項１９】
ＤＲＭが適用されたコンテンツを保存しており、前記コンテンツの伝送要請を受信すれば、前記ＤＲＭについてのライセンス情報を生成して、前記ライセンス情報及び前記コンテンツを伝送する第１デバイスと、
前記第１デバイスに連結された状態で、前記第１デバイスにコンテンツ伝送を要請し、受信された前記ライセンス情報を利用して前記コンテンツを再生する第２デバイスと、を備えることを特徴とするコンテンツ共有システム。
【請求項２０】
前記第１デバイスと前記第２デバイスとの連結が解除されれば、前記コンテンツ及びライセンス情報の伝送と前記コンテンツの再生とは終了することを特徴とする請求項１９に記載のコンテンツ共有システム。
【請求項２１】
請求項１ないし１０のうちいずれか一項に記載の方法のうち一つを実行させるためのプログラムを記録したコンピュータで読み取り可能な記録媒体。
【発明の詳細な説明】
【技術分野】
【０００１】
本発明は、デジタル著作権管理（Ｄｉｇｉｔａｌ  Ｒｉｇｈｔｓ  Ｍａｎａｇｅｍｅｎｔ、以下“ＤＲＭ”という）が適用されたコンテンツの使用に係り、より詳細にはデバイス間にコンテンツを共有する方法に関する。
【背景技術】
【０００２】
最近にインターネットの普及及び通信の発達につれて多様なデジタルコンテンツが生産及び加工されて流通されている。しかし、デジタルコンテンツはアナログデータとは異なって、損失なしにコピーできるという点、再使用、加工及び配布が容易であるという点で不法コピーによる弊害が問題となっている。
【０００３】
特に、網の結合、機器の結合、コンテンツとサービスとの結合などによってデジタルコンテンツの流通環境が拡大されつつある。すなわち、以前にはインターネットが連結されたＰＣを通じてコンテンツの配布が可能であったが、現在にはデジタル放送及びホームネットワーキングを通じても電化製品またはモバイル機器を通じてもコンテンツが広がりつつある。
【０００４】
したがって、不法コピーによるコンテンツ及びコンテンツ製作者を保護するために、ＤＲＭに関する研究が活発であり、ＤＲＭを利用した多くのサービスが導入されているが、相異なるＤＲＭシステム間の互換性の欠如などの理由で非常に制限された範囲内でのみ使われている。
【０００５】
図１は、従来技術によるデバイス間のＤＲＭが適用されたコンテンツの共有システムを示す図である。図１に示すように、従来技術によるコンテンツ共有システムは、サーバデバイス１０、第１クライアントデバイス２０及び第２クライアントデバイス３０で構成される。この時、第１クライアントデバイス２０と第２クライアントデバイス３０とは、サーバデバイス１０からＤＲＭが適用されたコンテンツ及びライセンス情報をそれぞれ伝送されねばならない。すなわち、同じコンテンツを共有するためにクライアントデバイスは、サーバデバイス１０にそれぞれコンテンツ伝送を要請し、ライセンス情報及びコンテンツを伝送されねばならない。したがって、第１クライアントデバイス２０がコンテンツを伝送されても、第２クライアントデバイスでコンテンツを再生しようとする場合、第２クライアントデバイスはサーバデバイス１０から再びコンテンツを伝送されねばならないという不便さがあった。
【０００６】
また、クライアントデバイスと外部のサーバデバイスとの連結が難しい場合、クライアントデバイスが優秀な再生性能を持っても、ＤＲＭが適用されたコンテンツを伝送されて保存及び音質の損傷なしに再生し難いという問題点がある。
【発明の開示】
【発明が解決しようとする課題】
【０００７】
本発明が解決しようとする技術的課題は、ＤＲＭが適用されているコンテンツをデバイス間で容易に共有できる方法を提供することである。
【課題を解決するための手段】
【０００８】
前記目的を達成するために本発明は、ＤＲＭが適用された暗号化されたコンテンツを保存している第１デバイスが第２デバイスと連結された状態で前記コンテンツを共有する方法において、前記第２デバイスから前記コンテンツの伝送要請を受信するステップと、前記第２デバイスとの連結状態を確認し、前記ＤＲＭについてのライセンス情報を生成するステップと、前記ライセンス情報及び前記コンテンツを伝送するステップと、を含む。
【０００９】
このとき、前記ライセンス情報及び前記コンテンツを伝送するステップで、前記第２デバイスから前記ライセンス情報要請を受信することを特徴とする。
【００１０】
このとき、前記第２デバイスから前記ライセンス情報要請を受信すれば、前記ライセンス情報を生成し続けることを特徴とする。
【００１１】
このとき、前記第２デバイスとの連結が解除された状態にあれば、前記ライセンス情報及び前記コンテンツの伝送は終了することを特徴とする。
【００１２】
このとき、前記コンテンツを分割して生成された複数のデータブロック及び前記複数のデータブロックを復号化できる臨時ライセンス情報を前記第２デバイスに伝送することを特徴とする。
【００１３】
また、本発明によれば、ＤＲＭが適用された暗号化されたコンテンツを保存している第１デバイスが第２デバイスと連結された状態で前記コンテンツを共有する方法において、前記第１デバイスに前記コンテンツの伝送を要請するステップと、前記第１デバイスから前記ＤＲＭについてのライセンス情報及び前記コンテンツを受信するステップと、前記コンテンツを再生するステップと、を含むことを特徴とする。
【００１４】
このとき、前記ライセンス情報を利用して前記コンテンツを復号化することを特徴とする。
【００１５】
このとき、再生されるコンテンツに対応する前記ライセンス情報は消滅されることを特徴とする。
【００１６】
このとき、前記コンテンツを再生するステップで、前記第１デバイスに前記ライセンス情報の伝送を要請することを特徴とする。
【００１７】
このとき、前記コンテンツが分割されて生成された複数のデータブロック及び前記複数のデータブロックを復号化できる臨時ライセンス情報を前記第１デバイスに受信することを特徴とする。
【００１８】
また、本発明による装置は、ＤＲＭが適用された暗号化されたコンテンツを保存しているコンテンツ保存部と、外部のデバイスと連結された状態で、前記デバイスから前記コンテンツの伝送要請を受信するチャンネルインターフェースと、前記ＤＲＭについてのライセンス情報を生成するライセンス生成部と、前記デバイスとの連結状態を確認し、前記ライセンス情報及び前記コンテンツを前記チャンネルインターフェースを通じて前記デバイスに伝送する制御部と、を備えることを特徴とする。
【００１９】
また、本発明によるデバイスは、ＤＲＭが適用されたコンテンツを保存している外部の装置と連結された状態で、前記装置に前記コンテンツの伝送を要請し、前記装置から前記ＤＲＭについてのライセンス情報及び前記コンテンツを受信するチャンネルインターフェースと、前記ライセンス情報を利用して前記コンテンツを復号化する暗号／復号化部と、前記復号化されたコンテンツを再生するコンテンツ再生部と、を備えることを特徴とする。
【００２０】
また、本発明によるシステムは、ＤＲＭが適用されたコンテンツを保存しており、前記コンテンツの伝送要請を受信すれば、前記ＤＲＭについてのライセンス情報を生成して、前記ライセンス情報及び前記コンテンツを伝送する第１デバイスと、前記第１デバイスに連結された状態で、前記第１デバイスにコンテンツ伝送を要請し、受信された前記ライセンス情報を利用して前記コンテンツを再生する第２デバイスと、を備えることを特徴とする。
【００２１】
本発明と本発明の動作上の利点及び本発明の実施によって達成される目的を十分に理解するためには、本発明の望ましい実施形態を例示する添付図面及び図面に記載された内容を参照せねばならない。
【発明の効果】
【００２２】
本発明によるＤＲＭが適用されたコンテンツを共有する方法は、複数のデバイスが互いに連結されている状態でのみコンテンツを共有できるので、ＤＲＭコンテンツを重複して購入する必要がなく、便利にコンテンツを共有できる。また、デバイスが直接連結された状態でコンテンツを共有するので、連結状態による音質低下や妨害要素を最小化できる。
【発明を実施するための最良の形態】
【００２３】
以下、添付した図面を参照して本発明の望ましい実施形態を説明することによって、本発明を詳細に説明する。各図面に提示された同じ参照符号は同じ部材を表す。
【００２４】
図２は、本発明の実施形態によるデバイス間のＤＲＭが適用されたコンテンツの共有システムを示す図である。図２に示すように、本発明の実施形態によるコンテンツ共有システムは、サーバデバイス１００、第１クライアントデバイス２００及び第２クライアントデバイス３００で構成される。
【００２５】
説明の便宜上、サーバデバイス１００からコンテンツを伝送されるデバイスを第１クライアントデバイス２００と設定し、第１クライアントデバイス２００からコンテンツを再伝送されるものを第２クライアントデバイス３００と設定し、場合によって、第１クライアントデバイス２００と第２クライアントデバイス３００とはコンテンツを伝送または受信する機能をいずれも行える。
【００２６】
また、第１クライアントデバイス２００に設定されても、第２クライアントデバイス３００の機能が可能であり、第２クライアントデバイス３００に設定されても第１クライアントデバイス２００の機能が可能である。
【００２７】
まず、サーバデバイス１００から第１クライアントデバイス２００がＤＲＭが適用されたコンテンツを伝送されて保存している状態であると仮定する。そして、第１クライアントデバイス２００が第２クライアントデバイス３００と物理的に連結されれば、第２クライアントデバイス３００のコンテンツ伝送要請に応じて第１クライアントデバイス２００は、保存されているＤＲＭが適用されたコンテンツと暗号化されたコンテンツを復号化するためのライセンス情報とを第２クライアントデバイス３００に伝送する。
【００２８】
この時、ライセンス情報は伝送されるコンテンツのＤＲＭにのみ適用されるものであり、再生されたコンテンツに対応して消滅されるので臨時的な性格を持つ。したがって、第２クライアントデバイス３００は、コンテンツが再生される間にも第１クライアントデバイス２００にライセンス情報を要請し続ける。
【００２９】
第２クライアントデバイス３００は、第１クライアントデバイス２００と物理的に結合されている間に、第１クライアントデバイス２００からコンテンツ及びライセンス情報を伝送されて、伝送されたコンテンツを再生でき、再生中に物理的結合が解除されれば、コンテンツの再生も終了する。
【００３０】
この時、“物理的結合”は、第１クライアントデバイス２００と第２クライアントデバイス３００とが必ずしも接着されている状態を意味するものではなく、電気的に連結されている状態を意味する。
【００３１】
図３は、本発明の実施形態による第１クライアントデバイス２００の構成を示す図である。図３に示すように、第１クライアントデバイス２００はチャンネルインターフェース２１０、コンテンツ保存部２２０、ライセンス生成部２３０及び制御部２４０を備える。
【００３２】
まず、チャンネルインターフェース２１０は、第１クライアントデバイス２００がサーバデバイス１００または第２クライアントデバイス３００と物理的に結合されれば、各種信号及び情報を伝達する。すなわち、第２クライアントデバイス３００からコンテンツ伝送要請を受信して、第２クライアントデバイス３００にコンテンツ及びライセンス情報を伝達する。
【００３３】
コンテンツ保存部２２０は、サーバデバイス１００から伝送されたＤＲＭが適用されたコンテンツを保存する。この時、ＤＲＭが適用されたコンテンツの場合、使用時間、再生回数、コピー制限などが適用される。
【００３４】
ライセンス生成部２３０は、第１クライアントデバイス２００が第２クライアントデバイス３００と結合されて、コンテンツ伝送の要請を受信すれば、ＤＲＭが適用されたコンテンツを復号化できるライセンスキーを含むライセンス情報を生成する。
【００３５】
制御部２４０は、チャンネルインターフェース２１０、コンテンツ保存部２２０及びライセンス生成部２３０の構成要素を制御し、第２クライアントデバイス３００との連結が解除されれば、ライセンス情報の生成及びコンテンツ伝送動作を中断する。
【００３６】
図４は、本発明の実施形態による第２クライアントデバイス３００の構成を示す図である。図４に示すように、第２クライアントデバイス３００は、チャンネルインターフェース３１０、暗号／復号化部３２０、コンテンツ再生部３３０及び制御部３４０を備える。
【００３７】
まず、チャンネルインターフェース３１０は、第２クライアントデバイス３００が第１クライアントデバイス２００と物理的に結合されれば、第１クライアントデバイス２００にコンテンツ伝送を要請し、第１クライアントデバイス２００からコンテンツ及びライセンス情報を受信する。
【００３８】
暗号／復号化部３２０は、第１クライアントデバイス２００から受信したライセンス情報を利用して、ＤＲＭが適用されたコンテンツを復号化する。また、ＤＲＭが適用されたコンテンツを再暗号化して他のクライアントデバイスに伝達してもよい。
【００３９】
コンテンツ再生部３３０は、暗号／復号化部３２０により復号化されたコンテンツを再生する役割を行う。
【００４０】
制御部３４０は、チャンネルインターフェース３１０、暗号／復号化部３２０及びコンテンツ再生部３３０の構成要素を制御し、第１クライアントデバイス２００と第２クライアントデバイス３００とが連結されれば、第１クライアントデバイス２００にコンテンツ伝送を要請し、チャンネルインターフェース３１０を通じてコンテンツ及びライセンス情報を受信させる。また、復号化されたコンテンツを再生する間に第１クライアントデバイス２００にライセンス情報の伝送を要請する。
【００４１】
図５は、本発明の実施形態によるデバイス間のＤＲＭが適用されたコンテンツの共有方法を示す図である。
【００４２】
まず、第１クライアントデバイス２００は、サーバデバイス１００からＤＲＭが適用されたコンテンツを伝送されて保存している状態と仮定する（Ｓ１０）。この時、説明の便宜上、本発明の実施形態では再生回数が１回に制限されたＤＲＭがコンテンツに適用されたと仮定する。
【００４３】
そして、第１クライアントデバイス２００と第２クライアントデバイスとが物理的に結合された場合、第１クライアントデバイス２００のライセンス生成部２３０は、コンテンツを復号化できるライセンスキーを含むライセンス情報を生成して（Ｓ２０）、ＤＲＭが適用されたコンテンツと生成されたライセンス情報とを第２クライアントデバイス３００に伝送する。一方、第１クライアントデバイス２００と第２クライアントデバイスとが物理的に結合されていない場合、第１クライアントデバイス２００はあらゆる動作を終了する（Ｓ３０）。
【００４４】
第２クライアントデバイス３００は、受信したライセンス情報を利用してＤＲＭが適用されたコンテンツを復号化して、コンテンツを再生する（Ｓ４０）。
【００４５】
この時、コンテンツを再生すれば、再生されたコンテンツに対応するライセンス情報は消滅する（Ｓ５０）。したがって、１回に限ってコンテンツをいずれも再生すれば、伝送されたあらゆるライセンスは消滅する。
【００４６】
コンテンツの再生過程で、第２クライアントデバイス３００と第１クライアントデバイス２００との結合が解除されれば、コンテンツの再生は終了する（Ｓ６０）。
【００４７】
そして、コンテンツの再生過程で、第２クライアントデバイス３００と第１クライアントデバイス２００との結合が維持されれば、第２クライアントデバイス３００は第１クライアントデバイス２００にライセンス情報の伝送を要請する。
【００４８】
したがって、ライセンス情報の伝送を要請された第１クライアント２００は、再び物理的に結合されたかどうかを確認して、結合が維持されればライセンス情報を生成し続け（Ｓ２０）、第２クライアントデバイス３００に伝送する。
【００４９】
一方、サーバデバイス１００から第１クライアントデバイス２００に伝送される図６Ａのようなコンテンツを、第１クライアントデバイス２００は、図６Ｂのように複数のデータブロックに分けて第２クライアントデバイス３００に伝送できる。
【００５０】
図６Ａは、サーバデバイス１００から第１クライアントデバイス２００に伝送される原本ＤＲＭコンテンツ（オリジナル  ＤＲＭ  コンテンツ）の構成を示す図であり、図６Ｂは、第１クライアントデバイス２００から第２クライアントデバイス３００に伝送されるコンテンツの構成を示す図である。
【００５１】
すなわち、第１クライアントデバイス２００は、伝送の便宜性及び保安性強化のために、原本ＤＲＭコンテンツを容量によって複数のデータブロックに分けて暗号化した後、第２クライアントデバイス３００に伝送できる。
【００５２】
図６Ｂに示すように、原本ＤＲＭコンテンツは複数のデータブロックに分けられ、それぞれのデータブロックはＤＲＭコンテンツデータと臨時ライセンス情報とを含む。
【００５３】
この時、臨時ライセンス情報には、サーバデバイス１００から第１クライアントデバイス２００に伝送される元来のライセンス情報も暗号化された状態に保存されており、臨時ライセンス情報が伝送される時、それぞれのデータブロックを復号化できる臨時ライセンスキーも伝送される。
【００５４】
また、臨時ライセンス情報はそれぞれのデータブロックごとに異なって設定でき、元来のライセンス情報と同様にコンテンツが再生されれば内部的に破棄される。
【００５５】
したがって、第２クライアントデバイス３００は、第１クライアントデバイス２００から暗号化されたコンテンツを複数のデータブロック形態に伝達されると同時に、臨時ライセンス情報を伝達されて複数のデータブロックを復号化することによって、実質的に二回の復号化ステップを経て初めてコンテンツが再生できるので、さらに保安性を強化できる。
【００５６】
本発明の実施形態では、サーバデバイス１００から直接コンテンツを伝送された第１クライアントデバイス２００と第２クライアントデバイス３００との間にコンテンツを共有すると表したが、第２クライアントデバイス３００と他のデバイスとの間にもこのような方法でコンテンツを共有できる。
【００５７】
したがって、本発明の実施形態によれば、コンテンツを保存している第１クライアントデバイス２００と第２クライアントデバイス３００とが物理的に連結されている状態でのみ、第１クライアントデバイス２００からコンテンツ及びライセンス情報が第２クライアントデバイス３００に伝送されて、第２クライアントデバイス３００は一時的にコンテンツを再生できるようになる。
【００５８】
一方、本発明によるデバイス間にコンテンツを共有する方法は、コンピュータプログラムで作成できる。前記プログラムを構成するコード及びコードセグメントは、当該分野のコンピュータプログラマーによって容易に推論される。また、前記プログラムはコンピュータで読み取り可能な情報記録媒体により保存され、コンピュータによって読み取られて実行されることによってデバイス間にコンテンツを共有する方法を具現する。前記情報記録媒体は、磁気記録媒体、光記録媒体及びキャリアウェーブ媒体を含む。
【００５９】
以上のように図面及び明細書で最適の実施形態が開示された。ここで特定の用語が使われたが、これは単に本発明を説明するための目的で使われたものであり、意味限定や特許請求の範囲に記載された本発明の範囲を制限するために使われたものではない。したがって、当業者ならばこれより多様な変形及び均等な他の実施形態が可能であるという点を理解できるであろう。したがって、本発明の真の技術的保護範囲は特許請求の範囲の技術的思想により決まらねばならない。
【産業上の利用可能性】
【００６０】
本発明は、デジタルコンテンツ関連の技術分野に好適に用いられる。
【図面の簡単な説明】
【００６１】
【図１】従来技術によるデバイス間のＤＲＭが適用されたコンテンツの共有システムを示す図である。
【図２】本発明の実施形態によるデバイス間のＤＲＭが適用されたコンテンツの共有システムを示す図である。
【図３】本発明の実施形態による第１クライアントデバイス２００の構成を示す図である。
【図４】本発明の実施形態による第２クライアントデバイス３００の構成を示す図である。
【図５】本発明の実施形態によるデバイス間のＤＲＭが適用されたコンテンツの共有方法を示す図である。
【図６Ａ】サーバデバイス１００から第１クライアントデバイス２００に伝送される原本コンテンツの構成を示す図である。
【図６Ｂ】第１クライアントデバイス２００から第２クライアントデバイス３００に伝送されるコンテンツの構成を示す図である。
【符号の説明】
【００６２】
１００  サーバデバイス
２００  第１クライアントデバイス
２１０、３１０  チャンネルインターフェース
２２０  コンテンツ保存部
２３０  ライセンス生成部
２４０、３４０  制御部
３００  第２クライアントデバイス
３２０  暗号／復号化部
３３０  コンテンツ再生部
【図１】
2008130090.tif 000003
【図２】
2008130090.tif 000004
【図３】
2008130090.tif 000005
【図４】
2008130090.tif 000006
【図５】
2008130090.tif 000007
【図６Ａ】
2008130090.tif 000008
【図６Ｂ】
2008130090.tif 000009